(57)【要約】  【課題】  監視カメラを選択するときの操作性が高く、緊急事態に迅速に対応することができる映像監視システムを提供する。  【解決手段】  映像監視システム１は、施設内に配置される複数の監視カメラ２と、監視モニタ３と、複数の監視映像の中から監視モニタ３に表示させる監視映像を選択的に切り換える映像切換え制御装置４とを備える。映像切換え制御装置４は、地図情報２０とカメラ情報２１を含む情報が記憶されたデータベース８と、操作モニタ１０を有するカメラ操作端末９を備える。操作モニタ１０に表示された全体地図を構成する複数のエリア地図の中から、注目エリアのエリア地図を選択し、選択された注目エリアのエリア地図内における複数の監視カメラ２の中から、監視モニタ３に監視映像を表示させる監視カメラ２を選択することにより、監視モニタ３に表示させる監視映像を、選択された監視カメラ２の監視映像に切り換える。【選択図】  図１
2007068010.tif 000002
【特許請求の範囲】
【請求項１】
施設内に配置される複数の監視カメラと、
前記監視カメラで撮影した監視映像が表示される監視モニタと、
前記監視カメラと前記監視モニタに接続され、前記複数の監視映像の中から前記監視モニタに表示させる監視映像を選択的に切り換える映像切換え制御装置とを備え、
前記映像切換え制御装置は、
前記施設の全体地図を複数に分割したエリア地図の地図データが記憶される地図データ記憶手段と、
前記エリア地図内における前記複数の監視カメラの配置データが記憶される配置データ記憶手段と、
前記エリア地図の地図データと前記監視カメラの配置データに基づいて、前記複数のエリア地図により構成された前記施設の全体地図と、前記各エリア地図内における前記複数の監視カメラを表示する表示手段と、
前記表示された全体地図を構成する複数のエリア地図の中から、注目エリアのエリア地図を選択する注目エリア選択手段と、
前記選択された注目エリアのエリア地図内における前記複数の監視カメラの中から、前記監視モニタに監視映像を表示させる監視カメラを選択するカメラ選択手段と、
前記監視モニタに表示させる監視映像を、前記選択された監視カメラの監視映像に切り換える映像切換え手段とを備えたことを特徴とする映像監視システム。
【請求項２】
前記表示手段には、前記注目エリア選択手段により前記エリア地図の選択が行われたときに、前記選択されたエリア地図内における前記複数の監視カメラの識別情報が表示され、
前記カメラ選択手段は、前記表示された複数の監視カメラの識別情報の中から、所定の監視カメラの識別情報を選択することにより、前記監視モニタに監視映像を表示させる監視カメラを選択することを特徴とする請求項１に記載の映像監視システム。
【請求項３】
前記表示手段には、前記注目エリア選択手段により前記エリア地図の選択が行われたときに、前記選択されたエリア地図の拡大地図が、前記選択されたエリア地図内における前記複数の監視カメラの配置箇所および監視方向を示すカメラアイコンとともに表示され、
前記カメラ選択手段は、前記表示された複数の監視カメラのカメラアイコンの中から、所定の監視カメラのカメラアイコンを選択することにより、前記監視モニタに監視映像を表示させる監視カメラを選択することを特徴とする請求項２に記載の映像監視システム。
【発明の詳細な説明】
【技術分野】
【０００１】
本発明は、大規模な施設内に多くの監視カメラを配置した映像監視システムに関するものである。
【背景技術】
【０００２】
従来、オペレータの操作性の向上を図った監視システムとして、複数の監視カメラの配置箇所を示した地図が、操作端末の画面に表示される監視システムが知られている（例えば特許文献１参照）。そして、各監視カメラの配置箇所は、操作端末の画面に表示された地図上のカメラアイコンによって示されている。従来の監視システムでは、オペレータが地図選択キーをクリックすることにより、画面に表示される地図が選択的に切り換えられる。そして、監視カメラの選択は、画面に表示された地図上のカメラアイコンをクリックすることによって行われる。
【特許文献１】特開２００１−２２４０１２号公報（第３−６頁、第４図）
【発明の開示】
【発明が解決しようとする課題】
【０００３】
しかしながら、従来の監視システムにおいては、例えばイベント会場やゴルフ場、空港などの大規模な施設の全体の地図（全体地図）を、操作端末の一画面にすべて表示するためには、施設の全体地図の縮尺を小さくする必要がある。地図の縮尺を小さくすると、大規模な施設の各所に多くの監視カメラを配置した場合に、施設の全体地図上に多くの監視カメラのカメラアイコンが表示されることとなる。そうすると、監視カメラの選択を行うときに、監視カメラのカメラアイコン相互の識別が困難になり、監視カメラを選択する際の操作性が低下するという問題があった。
【０００４】
そこで、従来の監視システムを用いて、大規模な施設の各エリアの地図（エリア地図）を、地図選択キーのクリック操作に応じて選択的に切り換えて、操作端末の画面に表示させることも考えられる。この場合、全体地図よりも縮尺の大きなエリア地図が画面に表示されるため、監視カメラのカメラアイコンの識別性は向上する。ところが、操作端末の画面に表示されていないエリアで、事故や火災などの緊急事態が発生した場合には、複数のエリア地図の中から緊急事態が発生したエリア（緊急エリア）を探して画面表示を切り替える必要がある。この場合、オペエータは地図選択キーをクリックすることにより、緊急エリアを探すこととなる。しかし、このとき、操作端末の画面には施設の全体地図が表示されていないため、緊急エリアを即座に見つけることが困難であるという問題があった。特に、監視する施設の規模が大きく、エリア地図の数量が多い場合には、大量のエリア地図の中から緊急エリアを探し出すのに時間がかかり、緊急事態に迅速に対応するのが困難であるという問題があった。
【０００５】
本発明は、上記従来の問題を解決するためになされたもので、大規模な施設内に多くの監視カメラを配置した場合であっても、監視カメラを選択するときの操作性が高く、緊急事態に迅速に対応することのできる映像監視システムを提供することを目的とする。
【課題を解決するための手段】
【０００６】
本発明の映像監視システムは、施設内に配置される複数の監視カメラと、前記監視カメラで撮影した監視映像が表示される監視モニタと、前記監視カメラと前記監視モニタに接続され、前記複数の監視映像の中から前記監視モニタに表示させる監視映像を選択的に切り換える映像切換え制御装置とを備え、前記映像切換え制御装置は、前記施設の全体地図を複数に分割したエリア地図の地図データが記憶される地図データ記憶手段と、前記エリア地図内における前記複数の監視カメラの配置データが記憶される配置データ記憶手段と、前記エリア地図の地図データと前記監視カメラの配置データに基づいて、前記複数のエリア地図により構成された前記施設の全体地図と、前記各エリア地図内における前記複数の監視カメラを表示する表示手段と、前記表示された全体地図を構成する複数のエリア地図の中から、注目エリアのエリア地図を選択する注目エリア選択手段と、前記選択された注目エリアのエリア地図内における前記複数の監視カメラの中から、前記監視モニタに監視映像を表示させる監視カメラを選択するカメラ選択手段と、前記監視モニタに表示させる監視映像を、前記選択された監視カメラの監視映像に切り換える映像切換え手段とを備えた構成を有している。
【０００７】
この構成により、映像切換え制御装置の表示手段には、複数のエリア地図により構成された施設の全体地図が表示される。そして、表示された全体地図を構成する複数のエリア地図の中から、注目エリア選択手段によって注目エリア（例えば、緊急事態が発生している緊急エリア）のエリア地図の選択が行われる。より詳細には、映像切換え制御装置に備えられた入力手段からエリア地図の選択要求が入力され、入力された選択要求に基づいて、注目エリア選択手段により映像切換え制御装置内でのエリア地図の選択処理が行われる。これにより、監視する施設の規模が大きい場合であっても、大量のエリア地図の中から注目すべき緊急エリアを即座に探し出すことができ、緊急事態に迅速に対応することができる。また、映像切換え制御装置の表示手段には、各エリア地図内における複数の監視カメラが表示される。そして、注目エリア内における複数の監視カメラの中から、カメラ選択手段によって監視モニタに監視映像を表示させる監視カメラを選択する。より詳細には、映像切換え制御装置に備えられた入力手段から監視カメラの選択要求が入力され、入力された選択要求に基づいて、カメラ選択手段により映像切換え制御装置内での監視カメラの選択処理が行われる。これにより、大規模な施設内に多くの監視カメラを配置した場合であっても、多くの監視カメラの中から監視モニタに監視映像を表示させる監視カメラを容易に選択することができ、監視カメラを選択するときの操作性が向上する。
【０００８】
また、本発明の映像監視システムでは、前記表示手段には、前記注目エリア選択手段により前記エリア地図の選択が行われたときに、前記選択されたエリア地図内における前記複数の監視カメラの識別情報が表示され、前記カメラ選択手段は、前記表示された複数の監視カメラの識別情報の中から、所定の監視カメラの識別情報を選択することにより、前記監視モニタに監視映像を表示させる監視カメラを選択する構成を有している。
【０００９】
この構成により、映像切換え制御装置の表示手段には、エリア地図の選択が行われたときに、選択されたエリア地図内における複数の監視カメラの識別情報（例えば、カメラ番号やカメラ名称）が表示される。そして、表示された複数の監視カメラの識別情報の中から、カメラ選択手段によって所定の（例えば一つの）監視カメラの識別情報を選択することにより、監視モニタに監視映像を表示させる監視カメラが選択される。このように、監視カメラの識別情報を用いて監視カメラの選択を行うことにより、監視カメラを選択する際の監視カメラの識別性が向上する。したがって、大規模な施設内に多くの監視カメラを配置した場合であっても、多くの監視カメラの中から監視モニタに監視映像を表示させる監視カメラを容易に選択することができ、監視カメラを選択するときの操作性が向上する。
【００１０】
また、本発明の映像監視システムでは、前記表示手段には、前記注目エリア選択手段により前記エリア地図の選択が行われたときに、前記選択されたエリア地図の拡大地図が、前記選択されたエリア地図内における前記複数の監視カメラの配置箇所および監視方向を示すカメラアイコンとともに表示され、前記カメラ選択手段は、前記表示された複数の監視カメラのカメラアイコンの中から、所定の監視カメラのカメラアイコンを選択することにより、前記監視モニタに監視映像を表示させる監視カメラを選択する構成を有している。
【００１１】
この構成により、映像切換え制御装置の表示手段には、エリア地図の選択が行われたときに、選択されたエリア地図の拡大地図が表示される。さらに、その拡大地図内には、選択されたエリア地図内における複数の監視カメラの配置箇所および監視方向を示すカメラアイコンが表示される。そして、表示された複数の監視カメラのカメラアイコンの中から、カメラ選択手段によって所定の（例えば一つの）監視カメラのカメラアイコンが選択される。このように、監視カメラのカメラアイコンを用いて監視カメラの選択を行うことにより、監視カメラを選択する際の監視カメラの識別性が向上する。したがって、大規模な施設内に多くの監視カメラを配置した場合であっても、多くの監視カメラの中から監視モニタに監視映像を表示させる監視カメラを容易に選択することができ、監視カメラを選択するときの操作性が向上する。また、監視カメラのカメラアイコンを用いることにより、各監視カメラの配置箇所および監視方向を容易に把握することができる。
【発明の効果】
【００１２】
本発明は、映像切換え制御装置に表示手段と注目エリア選択手段とカメラ選択手段を設けることにより、大規模な施設内に多くの監視カメラを配置した場合であっても、監視カメラを選択するときの操作性が高く、緊急事態に迅速に対応することができるという効果を有する映像監視システムを提供することができるものである。
【発明を実施するための最良の形態】
【００１３】
以下、本発明の実施の形態の映像監視システムについて、図面を用いて説明する。本実施の形態では、イベント会場等のような大規模な施設に用いられる映像監視システムの場合を例示する。
【００１４】
本発明の実施の形態の映像監視システムを図１および図２に示す。図１は、映像監視システム１の概略構成を示すブロック図である。図１に示すように、映像監視システム１は、イベント会場の各エリア内に配置される複数の監視カメラ２（旋回カメラや固定カメラ）と、監視カメラ２で撮影した監視映像が表示される複数の監視モニタ３と、複数の監視映像の中から監視モニタ３に表示させる監視映像を選択的に切り換える映像切換え制御装置４とを備えている。
【００１５】
図１に示すように、各エリアの監視カメラ２（旋回カメラや固定カメラ）には、監視カメラ２から出力されたアナログ映像信号を集めてデジタル映像信号に変換するエンコーダ５が接続されており、エンコーダ５はＩＰネットワーク６を介して映像切換え制御装置４に接続されている。映像切換え制御装置４には、デジタル映像信号をアナログ映像信号に変換して配信するデコーダ７が接続されており、デコーダ７には、デコーダ７から配信された監視映像が表示される監視モニタ３が接続されている。
【００１６】
映像切換え制御装置４は、後述する地図情報２０やカメラ情報２１やモニタ情報２３などの監視映像の切換えに必要な情報を記憶するデータベース８と、監視カメラ２や監視モニタ３の選択操作を受け付けるカメラ操作端末９を備えており、カメラ操作端末９は、監視カメラ２や監視モニタ３の選択状況が表示される操作モニタ１０を備えている。また、映像切換え制御装置４は、地図情報２０やカメラ情報２１やモニタ情報２３などの情報の登録操作・変更操作・削除操作等を受け付けるメンテナンス端末１１を備えており、メンテナンス端末１１は、地図情報２０やカメラ情報２１やモニタ情報２３などのメンテナンス状況が表示されるメンテナンスモニタ１２を備えている。
【００１７】
本実施の形態では、イベント会場の全体地図は、縦方向および横方向に複数のエリア地図に分割されており、例えば、縦座標１〜４および横座標Ａ〜Ｅとするマトリクス状に２０のエリア（エリアＡ−１〜エリアＥ−４）のエリア地図に分割されている（図６参照）。そして、イベント会場の各エリアには複数の監視カメラ２（旋回カメラや固定カメラ）が配置されている。例えば、エリアＣ−２には、２台の旋回カメラと１台の固定カメラが、それぞれの監視地点に設置されている（図１および図６参照）。ここで、旋回カメラとは、旋回しながら周囲を撮影する監視カメラ２をいい、固定カメラとは、カメラの向きが固定されている監視カメラ２をいう。なお、図１では、二つのエリアＡ−１、Ｃ−２についての構成のみが図示されており、他のエリアについては図示が省略されている。
【００１８】
また、図１に示すように、本実施の形態では、映像監視システム１によるイベント会場の監視作業は、イベント会場内に設けられた中央の監視場所で行われるほか、イベント会場外に設けられた地区の監視場所でも行われる。そして、中央の監視場所には、二つの監視モニタ３が設置されるほか、映像切換え制御装置４やカメラ操作端末９、メンテナンス端末１１などが設置される。一方、地区の監視場所には、一つの監視モニタ３が設置されるほか、カメラ操作端末９と操作モニタ１０が設置される。なお、本実施の形態以外、監視場所は三箇所以上であってもよく、監視カメラ２や監視モニタ３などがより多く設置されていてもよい。
【００１９】
図２は、映像監視システム１の機能構成を示すブロック図である。図２に示すように、映像切換え制御装置４は、ＣＰＵ１３によって制御されており、監視カメラ２のパンやズームなどの各種操作の制御を行うカメラ制御機能１４と、監視モニタ３に表示させる監視映像の切換えを行う映像切換え機能１５を備えている。また、映像切換え制御装置４は、カメラ操作端末９のポインティングデバイス等の入力装置１６の操作に基づいて、複数のエリア地図の中から注目エリアのエリア地図の選択を行う地図選択機能１７と、複数の監視カメラ２の中から監視モニタ３に監視映像を表示させる監視カメラ２の選択を行うカメラ選択機能１８と、複数の監視モニタ３の中から監視カメラ２の監視映像を表示させる監視モニタ３の選択を行うモニタ選択機能１９を備えている。
【００２０】
また、映像切換え制御装置４は、データベース８に記憶された地図情報２０およびカメラ情報２１を読み出して、複数のエリア地図により構成された全体地図や、複数の監視カメラ２のカメラアイコンＣＲ、ＣＦが含まれる注目エリアの拡大地図を生成する地図生成機能２２を備えている。また、映像切換え制御装置４は、地図生成機能２２により生成された全体地図や拡大地図、データベース８に記憶されたカメラ情報２１やモニタ情報２３などを読み出して、カメラ操作端末９の操作モニタ１０に表示させる表示情報（例えば、監視カメラ２の選択状況や監視モニタ３の選択状況などの情報）をカメラ操作端末９へ出力するカメラ操作端末出力機能２４を備えている。カメラ操作端末９は、映像切換え制御装置４から入力された表示情報を操作モニタ１０に表示する画面表示機能２５を備えている。
【００２１】
さらに、映像切換え制御装置４は、メンテナンス端末１１のポインティングデバイス等の入力装置２６の操作に基づいて、データベース８の地図情報２０やカメラ情報２１やモニタ情報２３などを登録・変更・削除等する情報登録機能２７を備えている。また、映像切換え制御装置４は、メンテナンス端末１１のメンテナンスモニタ１２に表示させる表示情報（例えば、地図情報２０やカメラ情報２１やモニタ情報２３のメンテナンス状況などの情報）をメンテナンス端末１１へ出力するメンテナンス端末出力機能２８を備えている。メンテナンス端末１１は、映像切換え制御装置４から入力された表示情報をメンテナンスモニタ１２に表示する画面表示機能２９を備えている。
【００２２】
なお本実施の形態では、映像切換え制御装置４はＣＰＵ１３によってコンピュータ制御されており、上記のような映像切換え制御装置４の各種の機能は、各種の機能のプログラムによって実現されている。
【００２３】
図３には、データベース８に記憶される地図情報２０の内容が示される。図３に示すように、地図情報２０には、地図ファイル、地図番号、地図名称、マトリクス情報、備考などの項目のデータが含まれている。地図ファイルは、各エリア地図の地図データファイルである。地図番号は、各エリア地図に付された番号であり、地図名称は、各エリア地図を示す名称である。マトリクス情報は、各エリア地図のマトリクス座標（例えばＣ−２など）である。備考は、各エリア地図に関する関連事項などの情報である。
【００２４】
図４には、データベース８に記憶されるカメラ情報２１の内容が示される。図４に示すように、カメラ情報２１には、マトリクス情報、カメラ番号、カメラ名称、カメラ種別、カメラ位置、備考などの項目のデータが含まれている。マトリクス情報は、監視カメラ２が設置されているエリアのマトリクス座標である。カメラ番号は、各監視カメラ２に付された６桁の番号（例えばＣ２０００１など）であり、カメラ名称は、各監視カメラ２を示す名称（例えば旋回カメラＡなど）である。カメラ種別は、旋回カメラ、固定カメラなどの監視カメラ２の種別であり、カメラ位置は、各エリア内で監視カメラ２が設置されている場所（例えば交差点など）である。備考は、各監視カメラ２が監視している対象物などの情報である。
【００２５】
図５には、データベース８に記憶されるモニタ情報２３の内容が示される。図５に示すように、モニタ情報２３には、モニタ名称、モニタ番号、モニタ設置情報、モニタ選択情報、備考などの項目のデータが含まれている。モニタ名称は、各監視モニタ３を示す名称であり、モニタ番号は、各監視モニタ３に付された番号である。モニタ設置情報は、各監視モニタ３の設置場所（例えば、中央の監視場所など）であり、モニタ選択情報は、そのモニタがカメラ操作端末９で選択可能か否かを示す情報である。備考は、各監視カメラ２が監視している対象物などの情報である。
【００２６】
図６には、操作モニタ１０の表示画面３０が示される。図６に示すように、操作モニタ１０の表示画面３０は、拡大地図表示部３１、モニタ選択部３２、カメラ番号表示部３３、全体地図表示部３４、地図名称選択部３５、カメラリスト表示部３６、マトリクス表示部３７という７つのフレームに分割されている。
【００２７】
拡大地図表示部３１には、選択されたエリア地図の拡大地図が表示されるとともに、そのエリア内の配置箇所に監視カメラ２のカメラアイコンＣＲ、ＣＦが表示される。本実施の形態では、カメラアイコンＣＲ、ＣＦは、監視カメラ２の監視方向および種別が容易に識別できるようなデザインとされている。例えば、図６に示すように、旋回カメラのカメラアイコンＣＲは、旋回カメラの向きおよび旋回方向が分かるように図案化されている。また、固定カメラのカメラアイコンＣＦは、固定カメラの向きが分かるように図案化されている。そして、本実施の形態では、監視カメラ２のカメラアイコンＣＲ、ＣＦを入力装置１６で選択する（例えば、マウスポインタをカメラアイコンＣＲ、ＣＦにあわせて、マウスの選択ボタンをクリック操作する）ことにより、監視カメラ２の選択を行うことができるように構成されている。監視カメラ２が選択されると、選択された監視カメラ２のカメラアイコンＣＲ、ＣＦは、例えばカメラアイコンＣＲ、ＣＦの色が緑色に変化する等の強調表示が行われる。
【００２８】
モニタ選択部３２には、図６に示すように、三つの監視モニタ３のモニタアイコンＭが表示される。この場合、モニタアイコンＭの中央には、モニタ番号が付されている。本実施の形態では、監視モニタ３のモニタアイコンＭを入力装置１６で選択する（例えば、マウスポインタをモニタアイコンＭにあわせて、マウスの選択ボタンをクリック操作する）ことにより、監視カメラ２の監視映像を表示する監視モニタ３の選択を容易に行うことができるように構成されている。また、カメラ番号表示部３３には、選択された監視カメラ２のカメラ番号およびカメラ名称が表示される。
【００２９】
全体地図表示部３４には、マトリクス状の複数のエリア地図で構成されたイベント会場の全体地図が表示される。そして、本実施の形態では、エリア地図を入力装置１６で選択する（例えば、マウスポインタをエリア地図にあわせて、マウスの選択ボタンをクリック操作する）ことにより、エリア地図の選択を容易に行うことができるように構成されている。そして、エリア地図が選択されると、選択されたエリア地図は、例えばエリア地図の色がグレーに変化する等の強調表示が行われる。
【００３０】
地図名称選択部３５には、全体地図の名称（例えばイベント会場の名称など）が表示されている。本実施の形態では、地図名称選択部３５には地図切換えボタンＢが表示されており、地図切換えボタンＢを入力装置１６で選択する（例えば、マウスポインタを地図切換えボタンＢにあわせて、マウスの選択ボタンをクリック操作する）ことにより、他のイベント会場の名称リストがプルダウンメニュー表示される。そして、プルダウンメニューの中から他のイベント会場の名称を入力装置１６で選択することにより、全体地図表示部３４に表示する全体地図を容易に切り換えることができるように構成されている。
【００３１】
カメラリスト表示部３６には、選択されたエリア地図内に配置されている監視カメラ２のカメラ番号、カメラ名称、カメラ位置などの識別情報がリスト表示される。本実施の形態では、監視カメラ２の識別情報（カメラ番号、カメラ名称、カメラ位置）を入力装置１６で選択する（例えば、マウスポインタを識別情報の文字列にあわせて、マウスの選択ボタンをクリック操作する）ことにより、監視カメラ２の選択を行うことができるように構成されている。そして、監視カメラ２が選択されると、選択された監視カメラ２の識別情報は、例えば文字の色がグレーに変化する等の強調表示が行われる。また、マトリクス表示部３７には、選択されたエリアのマトリクス座標が表示される。
【００３２】
以上のように構成された映像監視システム１について、図７に示すフロー図を用いてその動作を説明する。
【００３３】
本発明の実施の形態の映像監視システム１を用いて、監視モニタ３に表示させる監視カメラ２の監視映像を選択するときには、まず、オペレータは、カメラ操作端末９の操作モニタ１０の表示画面３０の地図名称選択部３５において、地図切換えボタンＢを入力装置１６で選択して、プルダウンメニューの中からイベント会場の名称を入力装置１６で選択する。このような全体地図の選択要求に基づいて、映像切換え制御装置４の地図選択機能１７がデータベース８の地図情報２０を読み出し、映像切換え制御装置４において全体地図の選択処理が行われる（Ｓ１）。そして、映像切換え制御装置４で全体地図の選択処理が行われると、操作モニタ１０の表示画面３０の全体地図表示部３４に、選択された全体地図が表示される（Ｓ２）。
【００３４】
つぎに、オペレータは、操作モニタ１０の表示画面３０の全体地図表示部３４において、全体地図を構成するマトリクス状の複数のエリア地図の中から、注目エリアのエリア地図を入力装置１６で選択する。このようなエリア地図の選択要求に基づいて、映像切換え制御装置４の地図選択機能１７がデータベース８の地図情報２０およびカメラ情報２１を読み出し、映像切換え制御装置４においてエリア地図の選択処理が行われる（Ｓ３）。そして、映像切換え制御装置４でエリア地図の選択処理が行われると、選択されたエリア地図の色がグレーに変化して強調表示される（Ｓ４）。また、このとき、操作モニタ１０の表示画面３０の拡大地図表示部３１には、選択されたエリア地図の拡大地図が、そのエリア内に配置された監視カメラ２のカメラアイコンＣＲ、ＣＦとともに表示される（Ｓ５）。さらに、それと同時に、操作モニタ１０の表示画面３０のカメラリスト表示部３６には、選択されたエリア内に配置された監視カメラ２の識別情報（カメラ番号、カメラ名称、カメラ位置）がリスト表示される（Ｓ６）。
【００３５】
そして、オペレータは、操作モニタ１０の表示画面３０の拡大地図表示部３１に表示された監視カメラ２のカメラアイコンＣＲ、ＣＦを入力装置１６で選択する。このような監視カメラの選択要求に基づいて、映像切換え制御装置４のカメラ選択機能１８がデータベース８の地図情報２０およびカメラ情報２１を読み出し、映像切換え制御装置４において監視カメラ２の選択処理が行われる（Ｓ７）。あるいは、オペレータは、カメラリスト表示部３６に表示された監視カメラ２の識別情報（カメラ番号、カメラ名称、カメラ位置）を入力装置１６で選択する。このような監視カメラの選択要求に基づいても、映像切換え制御装置４のカメラ選択機能１８はデータベース８の地図情報２０およびカメラ情報２１を読み出し、映像切換え制御装置４において監視カメラ２の選択処理が行われる（Ｓ８）。
【００３６】
監視カメラ２の選択処理が行われると、操作モニタ１０の表示画面３０の拡大地図表示部３１において、選択された監視カメラ２のカメラアイコンＣＲ、ＣＦの色が緑色に変化して強調表示される（Ｓ９）。また、このとき、カメラリスト表示部３６において、選択された監視カメラ２の識別情報の文字の色がグレーに変化して強調表示される（Ｓ１０）。さらに、それと同時に、カメラ番号表示部３３において、選択された監視カメラ２のカメラ番号およびカメラ名称が表示される（Ｓ１１）。
【００３７】
そして、オペレータは、操作モニタ１０の表示画面３０のモニタ選択部３２において、監視モニタ３のモニタアイコンＭを入力装置１６により選択する。このような監視モニタの選択要求に基づいて、映像切換え制御装置４のモニタ選択機能１９がデータベース８のモニタ情報２３を読み出し、映像切換え制御装置４において、上記のようにして選択された監視カメラ２の監視映像を表示させる監視モニタ３の選択処理が行われる（Ｓ１２）。
【００３８】
このようにして監視カメラ２と監視モニタ３の選択処理が行われると、映像切換え制御装置４の映像切換え機能１５により、監視映像の切換え処理が行われ、選択された監視カメラ２の監視映像が選択された監視モニタ３に表示される（Ｓ１３）。
【００３９】
このような発明の実施の形態の映像監視システム１によれば、映像切換え制御装置４に地図選択機能１７、カメラ選択機能１８、モニタ選択機能１９を設け、操作モニタ１０を備えたカメラ操作端末９を設けることにより、大規模なイベント会場内に多くの監視カメラ２を配置した場合であっても、監視カメラ２をカメラ操作端末９で選択するときの操作性が高く、緊急事態に迅速に対応することができる。
【００４０】
すなわち、映像切換え制御装置４のカメラ操作端末９の操作モニタ１０には、複数のエリア地図により構成されたイベント会場の全体地図が表示される。そして、表示された全体地図を構成する複数のエリア地図の中から、カメラ操作端末９の入力装置１６によって注目エリア（例えば、緊急事態が発生している緊急エリア）のエリア地図の選択が行われる。より詳細には、カメラ操作端末９の入力装置１６からエリア地図の選択要求が入力され、入力された選択要求に基づいて映像切換え制御装置４の地図選択機能１７によりエリア地図の選択処理が行われる。これにより、監視するイベント会場の規模が大きい場合であっても、大量のエリア地図の中から注目すべき緊急エリアを即座に探し出すことができ、緊急事態に迅速に対応することができる。
【００４１】
また、映像切換え制御装置４のカメラ操作端末９の操作モニタ１０には、各エリア地図内における複数の監視カメラ２のカメラ情報２１が表示される。そして、注目エリア内における複数の監視カメラ２の中から、カメラ操作端末９の入力装置１６によって監視モニタ３に監視映像を表示させる監視カメラ２の選択が行われる。より詳細には、カメラ操作端末９の入力装置１６から監視カメラの選択要求が入力され、入力された選択要求に基づいて映像切換え制御装置４のカメラ選択機能１８により監視カメラの選択処理が行われる。これにより、大規模なイベント会場内に多くの監視カメラ２を配置した場合であっても、多くの監視カメラ２の中から監視モニタ３に監視映像を表示させる監視カメラ２を容易に選択することができ、監視カメラ２を選択するときの操作性が向上する。
【００４２】
本実施の形態では、映像切換え制御装置４のカメラ操作端末９の操作モニタ１０には、エリア地図の選択が行われたときに、選択されたエリア地図内における複数の監視カメラ２の識別情報（例えば、カメラ番号やカメラ名称）が表示される。そして、表示された複数の監視カメラ２の識別情報の中から、カメラ操作端末９の入力装置１６によって所定の（例えば一つの）監視カメラ２の識別情報を選択することにより、監視モニタ３に監視映像を表示させる監視カメラ２が選択される。このように、監視カメラ２の識別情報を用いて監視カメラ２の選択を行うことにより、監視カメラ２を選択する際の監視カメラ２の識別性が向上する。したがって、大規模なイベント会場内に多くの監視カメラ２を配置した場合であっても、多くの監視カメラ２の中から監視モニタ３に監視映像を表示させる監視カメラ２を容易に選択することができ、監視カメラ２を選択するときの操作性が向上する。
【００４３】
また、本実施の形態では、映像切換え制御装置４のカメラ操作端末９の操作モニタ１０には、エリア地図の選択が行われたときに、選択されたエリア地図の拡大地図が表示される。さらに、その拡大地図内には、選択されたエリア地図内における複数の監視カメラ２の配置箇所および監視方向およびカメラ種別を示すカメラアイコンＣＲ、ＣＦが表示される。そして、表示された複数の監視カメラ２のカメラアイコンＣＲ、ＣＦの中から、カメラ操作端末９の入力装置１６によって所定の（例えば一つの）監視カメラ２のカメラアイコンＣＲ、ＣＦが選択される。このように、監視カメラ２のカメラアイコンＣＲ、ＣＦを用いて監視カメラ２の選択を行うことにより、監視カメラ２を選択する際の監視カメラ２の識別性が向上する。したがって、大規模なイベント会場内に多くの監視カメラ２を配置した場合であっても、多くの監視カメラ２の中から監視モニタ３に監視映像を表示させる監視カメラ２を容易に選択することができ、監視カメラ２を選択するときの操作性が向上する。また、監視カメラ２のカメラアイコンＣＲ、ＣＦを用いることにより、各監視カメラ２の配置箇所および監視方向および種別を容易に把握することができる。
【００４４】
以上、本発明の実施の形態を例示により説明したが、本発明の範囲はこれらに限定されるものではなく、請求項に記載された範囲内において目的に応じて変更・変形することが可能である。
【産業上の利用可能性】
【００４５】
以上のように、本発明にかかる映像監視システムは、監視カメラを選択するときの操作性が高く、緊急事態に迅速に対応することができるという効果を有し、大規模な施設内に多くの監視カメラを配置した映像監視システム等として有用である。
【図面の簡単な説明】
【００４６】
【図１】本発明の実施の形態における映像監視システムの概略構成を示すブロック図
【図２】本発明の実施の形態における映像監視システムの機能構成を示すブロック図
【図３】本発明の実施の形態における地図情報の内容を示す表
【図４】本発明の実施の形態におけるカメラ情報の内容を示す表
【図５】本発明の実施の形態におけるモニタ情報の内容を示す表
【図６】本発明の実施の形態における操作モニタの表示画面を示す図
【図７】本発明の実施の形態における映像監視システムの動作説明のためのフロー図
【符号の説明】
【００４７】
１  映像監視システム
２  監視カメラ
３  監視モニタ
４  映像切換え制御装置
８  データベース
９  カメラ操作端末
１０  操作モニタ
２０  地図情報
２１  カメラ情報
２３  モニタ情報
３０  表示画面
ＣＲ  カメラアイコン（旋回カメラ）
ＣＦ  カメラアイコン（固定カメラ）
【図１】
2007068010.tif 000003
【図２】
2007068010.tif 000004
【図３】
2007068010.tif 000005
【図４】
2007068010.tif 000006
【図５】
2007068010.tif 000007
【図６】
2007068010.tif 000008
【図７】
2007068010.tif 000009